(57)【要約】【課題】従来の分割型ナットでは、締め付け操作が面倒で、また十分な締め付け力を得ることが困難であった。多数のナットの締め付けに時間がかかり、作業能率を低下させる原因になっていた。ナットをボルトの先端より締め付け元まで回転から締め付ける必要があり、ナットの締め付けに時間がかかり作業能率を低下させる原因になっていた。【解決手段】一対の分割ナット片により形成され、一端の固定端部にこの一対の分割ナット片を開閉自在に結合するヒンジ部を設け、このヒンジ部によって開閉する他端の両自由端部に両者を適宜結合し分割ナット片を一体とする係合部を設けた分割ナットであって、上記両分割ナット片にナット締め付け用羽部を形成する。【選択図】図１
2012137175.tif 000002
【特許請求の範囲】
【請求項１】
一対の分割ナット片により形成され、一端の固定端部側にこの一対の分割ナット片を開閉自在に結合するヒンジ部を設け、このヒンジ部によって開閉する他端の両自由端部側に両者を適宜結合し分割ナット片を一体化する係合部を設けた分割ナットであって、
上記両分割ナット片にナット締め付け用羽部を形成したことを特徴とする分割型蝶ナット
【請求項２】
上記ナット締め付け用羽部は、ヒンジ部と係合部、又はヒンジ部と係合部を除くナットの外周部分に、それぞれ対称的に形成したことを特徴とする請求項１に記載の分割型蝶ナット。
【発明の詳細な説明】
【技術分野】
【０００１】    本発明は、分割型蝶ナットに関するものである。
【背景技術】
【０００２】  通常、ボルトとナットで、所定の部材を締め付ける時、例えば図１２、または図１３に示すように、ナットをボルトの先端より締め付け元まで回転する（ねじ込む）必要があった。また、この欠点を解消するため、特許文献１か４のような分割型ナットが提案されていた。
【先行技術文献】
【特許文献】
【０００３】
【特許文献１】実開平２−１１７４１６号公報
【特許文献２】特開平２００７−１６２７９０号公報
【特許文献３】特開平２００９−０６３０７０号公報
【特許文献４】特開平２００３−３３６３９５号公報
【発明の概要】
【発明が解決しようとする課題】
【０００４】  しかし、特許文献１から４のような分割型ナットでは、締め付け操作が面倒で、また十分な締め付け力を得ることが困難であった。
また、例えば、建設現場で使用するホームタイのナットを電気ドリルで締め付ける場合、電気ドリルは約１．０〜１．５キログラム位の重さがあり大変な労力を必要とする。また、多数のナットの締め付けに時間がかかり、作業能率を低下させる原因になっていた。またナットをボルトの先端より締め付け元まで回転しながら締め付ける必要があり、ナットの締め付けに時間がかかり作業能率を低下させる原因になっていた。
本発明は、その労力低減と作業の敏速化を考え、以上の問題点を解決したもので、蝶ナットを分割型とし、この分割型蝶ナットを左右に開放して締め付け元にセットし、このセット位置で左右の蝶ナットを閉じ、締め付けを行うものである。
これによって、ボルト締め付けの省力化を図り、且つナットの着脱を容易に出来るようにしたものである。
【課題を解決するための手段】
【０００５】  本発明にかかる分割型蝶ナットは、一対の分割ナット片により形成され、一端の固定端部側にこの一対の分割ナット片を開閉自在に結合するヒンジ部を設け、このヒンジ部によって開閉する他端の両自由端部側に両者を適宜結合し分割ナット片を一体とする係合部を設けた分割型蝶ナットであって、上記両分割ナット片にナット締め付け用羽部を形成したものである。
【発明の効果】
【０００６】  本発明は、電動工具のような特別の工具を必要とせず、例えば単純な操作棒を使って手動で簡単に締め付け作業ができ、またナットを例えばホームタイ座金１０４から突き出たボルト１０１の絞め代部分にいきなりセット（螺合）できるので、ナットの締め付け時間を短縮できる効果がある。
【図面の簡単な説明】
【０００７】
【図１】本発明の実施例１に係る分割型蝶ナットを示し、（ａ）は正面図、（ｂ）は図（ａ）中のｂ−ｂ線における断面図である。
【図２】本発明の実施例１に係る分割型蝶ナットの平面図である。
【図３】図２の矢印Ｌ方向から見た側面図である。
【図４】図２の矢印Ｒ方向から見た図で、（ａ）は側面図、（ｂ）は左側部分のみの側面図、（ｃ）は右側部分のみの側面図である。
【図５】本発明の実施例１に係る分割型蝶ナッを左右に半開きした時の平面図である。
【図６】本発明の実施例２に係る分割型蝶ナットの正面図である。
【図７】本発明の実施例２に係る分割型蝶ナットの平面図で、図６中のａ−ａ線における断面図である。
【図８】図６の矢印Ｌ方向から見た側面図である。
【図９】図６の矢印Ｒ方向から見た側面図である。
【図１０】本発明の実施例２に係る分割型蝶ナッを左右に半開きした時の平面図である。
【図１１】本発明の実施例１に係る分割型蝶ナットを使用したホームタイの作業状態を示す斜視図で，（ａ）は全体を示す斜視図、（ｂ）は操作部の拡大図である。
【図１２】従来のナットの使用状態（電動工具を使用）示す斜視図である。
【図１３】従来のナットの使用状態（ラチェット工具を使用）を示す斜視図である。
【発明を実施するための形態】
【０００８】  以下、図にもとづいて本発明の分割型蝶ナットの実施例を説明する。
なお、各図において同一符号は同一または相当部分を示すものである。
【０００９】実施例１．
以下、図１〜図５に基づいて、実施例１を説明する。
図において、実施例１に係る分割型蝶ナットは、一対の半円弧状分割ナット片（以下「分割ナット片」という）１ａ、１ｂにより本体部１が形成され、一端の固定端部側には、この一対の分割ナット片１ａ、１ｂを開閉自在に且つ環状に結合するヒンジ部３が設けられ、このヒンジ部３によって開閉する他端の両自由端部側には、両者を適宜結合し分割ナット片１ａ、１ｂを環状に一体化する係合部６が設けられている。
また、ヒンジ部３には、蝶ナット回転軸３ａを有し、係合部６は、分割ナット片１ａ、１ｂの両自由端部を適宜結合し両者を環状に一体化するフック４、このフック４を回転させるボルト状軸５、フック回転規制ばね５ａなどにより構成されている。
さらに、この実施例１では、ヒンジ部３と係合部６には、分割ナット片１ａ側の羽根部２ａと分割ナット片１ｂ側の羽根部２ｂとが形成され、これらが重合することにより一対の羽部を構成している。
【００１０】  次に、図１１に基づき、建設現場で、生コン（凝固する以前の状態のフレッシュコンクリート、以下生コンと称する）の型枠を一定の間隔に保つ（生コンの厚さと孕みを抑える）ために用いられるホームタイ１０１に、本発明の分割型蝶ナット１を使用した場合の使用法を説明する。
なお、図１１において、１０２はホームタイ１０１を構成するボルト、１０５は型枠を押さえる単管、１０４は単管１０５を止めるホームタイ座金、１０６は生コン躯体、１０７は生コンの厚さと孕みを抑える型枠（合板型枠）、１０８は型枠合板の補強桟である。
図１１において、ホームタイ用分割型蝶ナット１は、ホームタイ座金１０４に貫挿されたボルト１０２の締め付け元に挟み込むよう且つボルト１０２に対し螺合状態にセットされフック４の錠止でナットを形成する。
その後、１本の丸棒１１０を蝶ナットの羽部２に引っ掛け、この丸棒１１０を手で回転操作することにより分割型蝶ナット１を締め付ける。
丸棒は女性用、男性用と長さを変えて締め付ける力の均等を図る、また丸棒１１０の太さも力にあった太さでも可能である
このように、左右の分割型蝶ナット１を閉じて特殊な道具を使わずに締め付けを可能にしたので、図１２に示す電気ドリル２００、又は図１３に示すラチェットを使用した場合に比べて、ナットの取り付け、締め付けに時間がかからず作業能率を向上させることができ、また電気ドリル、又はラチェットのような特別の工具が不要となる。
すなわち、電動工具を必要とせず簡単な操作棒を使って手動で簡単に締め付け作業ができ、またナットをいきなりホームタイ座金１０４部分に螺合接合できるので、ナットの締め付け時間を短縮できる効果がある。
【００１１】実施例２．
以下、図６〜図１０に基づいて実施例２を説明する。
この実施例２では、ヒンジ部３と係合部６との中間部分１ａ１のナット外周面と、ヒンジ部３と係合部６との中間部分１ｂ１のナット外周面に、羽根部２をそれぞれ径方向の外向きに形成したもので、その他の構成は実施例１と同じのため、その他の説明は省略する。
【産業上の利用可能性】
【００１２】  建設（天井つり用ボルト用ナット、ダクトも同様）、家具屋（のり付けが乾くまで金物枠で押えるナット）、電気工事（電線ダクト吊るボルト用）、製本時の仮押さえ用等に使用して省力化を計る。
【符号の説明】
【００１３】１  蝶ナット本体
１ａ、１ｂ、１ｃ、１ｄ  分割ナット片
１ａ１  中間部分
１ｂ１  中間部分
２  蝶ナットの羽根部
２ａ  分割ナット片１ａ側の羽根部
２ｂ  分割ナット片１ｂ側の羽根部
３  ヒンジ部
３ａ  蝶ナット回転軸
４  フック
５  ボルト状軸
５ａ  フック回転規制ばね
６  係合部（係合錠止部）
１０１  ホームタイ
１０２  ボルト
１０３  ホームタイ用分割型蝶ナット
１０４  ホームタイ座金
１０５  型枠を押さえる単管
１０６  生コン躯体
１０７  生コンの厚さと孕みを抑える仮枠（合板型枠）、
１０８  型枠合板の補強桟
２００  電動ドリル
２０１  ナットを締めるソケット
２０２  従来のボルト
２０３  従来のナット
３００  ラチェット
【図１】
2012137175.tif 000003
【図２】
2012137175.tif 000004
【図３】
2012137175.tif 000005
【図４】
2012137175.tif 000006
【図５】
2012137175.tif 000007
【図６】
2012137175.tif 000008
【図７】
2012137175.tif 000009
【図８】
2012137175.tif 000010
【図９】
2012137175.tif 000011
【図１０】
2012137175.tif 000012
【図１１】
2012137175.tif 000013
【図１２】
2012137175.tif 000014
【図１３】
2012137175.tif 000015